(57)【要約】【課題】  シートホルダの枢支側の基端部を緩やかに後方に傾斜させて、該基端部に挟雑物が引っ掛るのを防止する。【解決手段】  作業走行に伴い、シート３０を連続的に後方に繰出して圃場面を被覆したシートの上から苗を移植するマルチ田植機１０は、圃場面を被覆するロール状のシート３０を横架収納するロール収納部３６と、該ロール収納部３６の下方部に位置する枢支軸４２から機体後方に延設されてシート３０を下方から受止め保持するシートホルダ３８とを有していて、前記枢支軸４２を、ロール収納部３６に収納されたシート３０のロール軸芯よりも前方に配置している。これにより、シートホルダの枢支側の基端部は緩やかに後方に傾斜され、該基端部への挟雑物の引っ掛りが防止される。【選択図】      図４
2005058072.tif 000002
【特許請求の範囲】
【請求項１】
走行機体に昇降自在に支持された移植部と、該移植部に設けられ圃場面を被覆するロール状のシートを横架収納するロール収納部と、を有し、作業走行に伴い前記シートを連続的に後方に繰出して圃場面を被覆したシートの上から苗を移植するマルチ移植機において、
前記ロール収納部の下方部位に設けられた枢支軸から機体後方に延設され、前記シートを下方から受止め保持するシートホルダを有し、
前記枢支軸を、前記ロール収納部に収納された前記シートのロール軸芯よりも前方に配置した、
ことを特徴とするマルチ移植機のシート保持装置。
【請求項２】
前記ロール収納部の下方に、圃場に肥料を吐出する施肥管を設け、該施肥管を、前記枢支軸にて前記シートホルダと一体的に回動自在に枢支した、
ことを特徴とする請求項１記載のマルチ移植機のシート保持装置。
【発明の詳細な説明】
【技術分野】
【０００１】
本発明は、移植部のロール収納部に横架されたロール状のシートを繰出して圃場面を被覆し、該被覆されたシートの上から苗を移植する形式のマルチ移植機のシート保持装置に関する。
【背景技術】
【０００２】
水田での稲作において、圃場面をビニルフィルム等のシートで被覆し、該シート面から苗のみを上方に頭だしすることで、雑草の生えるのを防止して除草剤による環境汚染を防止し、移植後の栽培管理の簡略化と省力化を図ることを企図したマルチ栽培が行われている。また、稲作のみならず、畑作でのレタス、白菜、キャベツ等の生鮮野菜の栽培においても、圃場の保温性を高めて種子の発芽や活着を良好にすると共に、雑草の発生を防止するため、土壌表面をシートで被覆するマルチ栽培が普及している。
【０００３】
圃場面をシートで被覆するマルチ移植機は、例えば走行機体の後方に移植部を昇降自在に支持し、該移植部のロール収納部に横架されたロール状のシートを後方に繰出して圃場面を被覆しながら、被覆されたシートをローラフロートにより上方から転圧すると共に、被覆されたシートの上から苗を移植するものである。そして、圃場での移植作業中、一行程を終了して次の行程に入るとき、枕地等で走行機体を回行する際は、その都度シートを切断して機体から分離する必要があるため、圃場面を被覆したシート部分を専用のカッタで切断している。また、シート切断後、移植部を上昇させて走行機体を回行する際、シートの繰出し方向の後端側を支持するため、該後端側を下方から支持するシートホルダも装備されている（例えば、特許文献１参照）。
【０００４】
【特許文献１】特許第２８１６５１９号公報（第３頁、図４−図５）
【発明の開示】
【発明が解決しようとする課題】
【０００５】
従来のマルチ移植機では、シートホルダを上下に回動させる基点となる回動支点が、ロール収納部の後方に位置しており、しかも該ロール収納部とローラフロートとの間の距離が構造上限定されていることから、前記距離が短ければ短いほど、シートホルダの形状を、前記回動支点の後方から急に下方に垂下させ、その垂下途中から略々水平に後方に延びる構成としなければならなかった。しかし、シートホルダの前記垂下部を急傾斜とすると、移植走行に伴い、この垂下部に挟雑物が引っ掛り易く、該引っ掛った挟雑物が多量堆積して円滑な移植作業に悪影響を及ぼすおそれがあった。
【０００６】
本発明は、斯かる課題を解決するためになされたもので、その目的とするところは、シートホルダの枢支側の基端部を緩やかに後方に傾斜させて該基端部に挟雑物が引っ掛るのを防止し得るマルチ移植機のシート保持装置を提供することにある。
【課題を解決するための手段】
【０００７】
前記目的を達成するため、請求項１に係る発明は、走行機体（１５）に昇降自在に支持された移植部（２２）と、該移植部（２２）に設けられ圃場面を被覆するロール状のシート（３０）を横架収納するロール収納部（３６）と、を有し、作業走行に伴い前記シート（３０）を連続的に後方に繰出して圃場面を被覆したシートの上から苗を移植するマルチ移植機（１０）において、
前記ロール収納部（３６）の下方部位に設けられた枢支軸（４２）から機体後方に延設され、前記シート（３０）を下方から受止め保持するシートホルダ（３８）を有し、
前記枢支軸（４２）を、前記ロール収納部（３６）に収納された前記シート（３０）のロール軸芯よりも前方に配置した、ことを特徴とする。
【０００８】
請求項２に係る発明は、請求項１記載のマルチ移植機のシート保持装置において、前記ロール収納部（３６）の下方に、圃場に肥料を吐出する施肥管（５３）を設け、該施肥管（５３）を、前記枢支軸（４２）にて前記シートホルダ（３８）と一体的に回動自在に枢支した、ことを特徴とする。
【０００９】
なお、上述した括弧内の符号は図面を参照するために示すものであって、本発明を何ら限定するものではない。
【発明の効果】
【００１０】
請求項１に係る発明によれば、ロール収納部の下方部位に設けられた枢支軸を、前記ロール収納部に収納されたロール状のシートのロール軸芯よりも前方に配置したので、前記枢支軸から機体後方に延設されるシートホルダの基端部を、緩やかに後方に傾斜させることができ、よって前記基端部に挟雑物が引っ掛るのを防止することができる。
【００１１】
請求項２に係る発明によれば、施肥管を、枢支軸にてシートホルダと一体的に回動自在に枢支したので、特にロール状のシートの補給時に、シートが施肥管に引っ掛るのを防止することができる。
【発明を実施するための最良の形態】
【００１２】
以下、図面に基づき本発明の実施の形態を説明する。
【００１３】
図１乃至図３は、マルチ装置を備えた６条植えの乗用田植機（マルチ田植機）を示している。このマルチ田植機１０は、前輪１１及び後輪１２に支持された走行機体１５を有し、該走行機体１５には、前部のボンネット１３内にエンジン１４、後部に座席シート１６及びステアリングホイール１７等を有する運転席１８が配備され、走行機体１５の後方には、アッパリンク１９及びロアリンク２０から成る昇降リンク２１を介して植付部２２が昇降自在に連結されている。
【００１４】
植付部２２は、機体左右方向に延びる植付部フレーム２３と、該植付部フレーム２３から後方に延出する複数の植付用の植付ケース２４と、該植付ケース２４の後端部に設けられ植付杆２６を有するロータリケース２５と、前記植付ケース２４の上方にて左右移動自在に支持された苗載せ台２７と、を備えている。この植付部２２は、走行機体１５の左右傾斜にかかわらず田面に追随可能にローリング自在に支持されている。また、植付部フレーム２３の下方には、シート保持装置３５が該植付部フレーム２３に一体的に取付けられていて、このシート保持装置３５は、左右のホルダ３７間にロール状のシート３０（図３参照）を横架収納するロール収納部３６と、上下に揺動自在に吊下された２つの円筒体からなるローラフロート２８と、該ローラフロート２８の後方に吊下されたシート鎮圧ローラ２９と、を有している。
【００１５】
前記ロール収納部３６は、ロール状に巻き込んだシート３０を側方から出し入れ自在に収納保持する円筒状部を有していて、植付部２２の前方下部に装着されている。このロール収納部３６は、その下方部位で左右のホルダ３７間に回転自在に支持された枢支軸４２と、この枢支軸４２と一体的に機体後方に延設され、かつシート３０を下方から受止め保持するシートホルダ３８とを有している。
【００１６】
前記シートホルダ３８は、植付部２２が上昇した状態のときにシート３０を下方から受け止め保持するもので、該シートホルダ３８の基端側は枢支軸４２に固定されている。このシートホルダ３８は、側面視で略々逆へ字形状をなす棒状又は板状体からなり、機体左右方向（植付幅方向）に適宜間隔を有して複数個配設されている。また、このシートホルダ３８は、植付作業中は土中に潜り、しかもシート３０の上から苗を植付けることから、植付杆２６の先端の回動軌跡の最下点よりも上方に設定されている。
【００１７】
なお、走行機体１５の左右側部には、補給用のシート３０を収納する予備ロール台６０が設けられ、これら左右の予備ロール台６０は連結ステー６１により連結されている。また、植付部２２には、該植付部２２を下降させたときに地面に載置する台としての役目をなすスタンド６２が設けられている。
【００１８】
本実施形態では、図４に示すように、前記枢支軸４２を、ロール収納部３６に収納されたロール状のシート３０のロール軸芯Ｏの略々直下の位置又はそれよりも前方に配置している。これにより、ロール収納部３６とローラフロート２８との間の距離が限定された構造であっても、シートホルダ３８の回動基端部を、従来よりも緩やかに後方下部に傾斜する傾斜部３８ａに形成することができ、該傾斜部３８ａに挟雑物が引っ掛るのを防止することができる。すなわち、若しも枢支軸４２をロール軸芯Ｏよりも後方に配置して、前記傾斜部３８ａの傾斜角を急な角度にすると、該傾斜部３８ａに引掛った挟雑物が外れずに多量に堆積され、やがて植付作業に不具合を及ぼすおそれがあるが、本実施形態のように、傾斜部３８ａの傾斜角が緩やかであれば、該傾斜部３８ａに引掛った挟雑物はすぐに後方に滑り抜けて引っ掛ることがない。
【００１９】
また、前記シートホルダ３８は、レバー４０の操作により枢支軸４２を支点として略々水平姿勢を保持する作用姿勢（図４の姿勢）と、下向きに傾斜する傾斜姿勢（図５の姿勢）とに切換え自在に構成されている。そして、本実施形態によれば、シート３０の繰出し部分がロール収納部３６の後部にあり、かつシートホルダ３８の枢支軸４２がロール収納部３６の前部にあるので、繰出し部近傍を大きく開放することができ、シート３０のセット作業が容易な構造となっている。
【００２０】
更に、枢支軸４２には、長孔４９ａが形成されたブラケット４９、及び略矩形状のブラケット５０が一体的に固定され、このブラケット５０に、シートホルダ３８が溶接固定された細長状のプレート５１が、ボルト孔５２を介して２本のボルトにより一体固定されている。また、圃場に肥料を吐出する施肥ノズル（施肥管）５３に、プレート５４が溶接固定されていて、該プレート５４が、前記ボルト孔５２を介して前記ブラケット５０に共締め固定されている。これにより、枢支軸４２にシートホルダ３８と施肥ノズル５３とが一体固定され、該シートホルダ３８と施肥ノズル５３とが一体的に回動自在となっている。
【００２１】
一方、図６に示すように、レバー４０の基端部は、ロール収納部３６の左右のホルダ３７間に回動自在に横架された軸４１に固定され、この軸４１に一体固定されたアーム４３の他端に進退自在なロッド４４の一端がピン結合されている。このロッド４４の他端は、圧縮スプリング４５を介してコ字状の枠体４６を弾発付勢し、該枠体４６には、前記ロッド４４と略々直交方向に突設された切換えピン４７が固定されている。そして、この切換えピン４７が前記長孔４９ａに嵌挿されていて、シートホルダ３８の作用姿勢と傾斜姿勢において、圧縮スプリング４５の弾発力による支点越えによりシートホルダ３８の下降又は上昇を規制している。
【００２２】
なお、ロール状のシート３０の交換は、植付部２２を上昇させた状態で左右のホルダ３７に近接する左右いずれかの開閉蓋（図示せず）を開けて行う。また、シート３０は、マルチ栽培に使用されている通常の樹脂系フィルムを用いても良いが、本実施形態では、再生紙（例えば、段ボール等を水に溶かしてでん粉糊を加えたもので、４０〜５０日経過すると田面中の泥水に溶解する）を使用している。
【００２３】
図１及び図２に示したように、前記ローラフロート２８は、圃場面に被覆されたシート３０を上方から転圧するもので、植付ケース２４に枢支された支持フレーム３１の先端に、横軸３２を介して枢支された軸受ケース３３にシャフト３４を介して回転自在に支持されている。また、シート切断用のカッタ５６は、上下動自在でアーム５７の後端にシート３０の左右敷設幅の全幅に亘って取付けられており、このカッタ５６は、運転席１８側に設けた図示しない操作レバーの操作で枢軸を中心として下方に回動し、圃場面を覆うシート３０を接地した状態のまま切断する。
【００２４】
次に、作用について説明する。
【００２５】
田面に苗を植付ける場合を例として説明すると、植付作業に先立ち、ロール収納部３６からシート３０の後端部を後方に引出し、該引出したシート３０を、ローラフロート２８及び鎮圧ローラ２９とシートホルダ３８との間に挟装した状態で、シート３０の後端側を田面に固定して植付作業を開始する。このとき、シートホルダ３８は泥土中に所定量沈下すると共に、シート３０は田面の上表面に接地され、該接地されたシート３０をローラフロート２８及び鎮圧ローラ２９にて上から押圧する。次いで、走行機体１５の作業走行に伴いロール収納部３６からシート３０が連続的に繰出され、該繰出されたシート３０がローラフロート２８及び鎮圧ローラ２９により押圧されて田面に密着され、その後、後部の植付杆２６によりシート３０の上から苗が植付けられる。この場合、シートホルダ３８の
枢支軸４２は、ロール収納部３６に収納されたロール状のシート３０のロール軸芯Ｏの略々直下又はそれよりも前方に配置されているので、枢支軸４２から機体後方に延設されるシートホルダ３８の基端側の傾斜部３８ａは、緩やかに後方に傾斜されている。よって、この傾斜部３８ａに挟雑物が引っ掛り難い構造となっており、また引掛ったとしてもすぐに外れ易い構造となっている。
【００２６】
また、枕地等にて走行機体１５を回行する際は、図示しないレバーの操作によりカッタ５６を下方に回動させて敷設されたシート３０を植付部２２の後方位置で敷設幅の全幅に亘って切断する。こうして、シート３０を切断した後、植付部２２を上昇させて走行機体１５を回行することができる。なお、シートホルダ３８も植付部２２と一体に上昇するが、シート３０の後端側はシートホルダ３８により略々水平に受止め支持される。
【００２７】
走行機体１５を回行した後、植付部２２を再度下降させて植付作業を続行するが、植付部２２を接地させたとき、シートホルダ３８は泥土中に沈下した作業位置に復帰すると共に、シート３０の後端側はローラフロート２８により上方から田面に押圧されてスムーズにマルチ作業及び植付作業を続行することができる。
【００２８】
なお、シートの補給時には、シートホルダ３８は枢支軸４２を中心として下方に傾斜する傾斜姿勢（図５の姿勢）として、ロール収納部３６に新たなロール状のシート３０を補給するが、本実施形態では、シート３０の繰出し部分がロール収納部３６の後部にあり、かつシートホルダ３８の枢支軸４２が前部にあるので、繰出し部近傍を大きく開放することができ、シート３０のセット作業が容易な構造となっている。また、施肥ノズル５３は、枢支軸４２にてシートホルダ３８と一体的に回動自在に枢支されているので、特にロール状のシートの補給時に、シート３０が施肥ノズル５３に引っ掛るのが防止されることになる。
【図面の簡単な説明】
【００２９】
【図１】マルチ田植機の側面図である。
【図２】同上の植付部を上昇させた状態を示す図である。
【図３】同上の平面図である。
【図４】シート保持装置の側面図である。
【図５】シートホルダを下降させた状態のシート保持装置の側面図である。
【図６】ロール収納部の要部平面図である。
【符号の説明】
【００３０】
１０      マルチ田植機
１５      走行機体
２２      植付部
３０      シート
３５      シート保持装置
３６      ロール収納部
３８      シートホルダ
３８ａ    傾斜部
４２      枢支軸
５３      施肥ノズル（施肥管）
【図１】
2005058072.tif 000003
【図２】
2005058072.tif 000004
【図３】
2005058072.tif 000005
【図４】
2005058072.tif 000006
【図５】
2005058072.tif 000007
【図６】
2005058072.tif 000008